(57)【特許請求の範囲】
【請求項１】
長手状に延びるヘッド本体に所定の払拭部材または掃毛を支持してなる清掃ヘッドと、
上記清掃ヘッドに連結された長手状の柄と、を備える清掃具であって、
上記柄は、その一端において上記ヘッド本体に対してその短手方向に延びる回動軸を中心として回動可能であり、
上記ヘッド本体は、上記柄を上記ヘッド本体に沿う倒れ回動位置において係止して保持する柄保持手段を備え、
上記柄保持手段は、上記柄が上記倒れ回動位置をとるときに上記柄の倒れ方向の回動を規制するストッパと、上記柄が上記倒れ回動位置をとるまで回動する直前に弾性的に乗り越える凸部とにより構成されており、
上記ヘッド本体は、上記回動軸の延びる方向についての幅が相対的に狭い幅狭部と、上記幅が相対的に広い幅広部とを備えており、上記柄は上記幅狭部において回動可能に連結されているとともに、上記幅狭部と上記幅広部との境界の段部が上記ストッパを構成しており、かつ、上記凸部は上記幅狭部の側面に形成されていることを特徴とする、清掃具。
【請求項２】
上記幅狭部および上記幅広部は、上記ヘッド本体の長手方向全長にわたって設けられている、請求項１に記載の清掃具。
【請求項３】
上記柄は、上記幅狭部の長手方向中央部付近において回動可能に連結されており、上記凸部は、上記幅狭部の長手方向両端部付近に設けられている、請求項２に記載の清掃具。
【請求項４】
上記柄は、少なくとも上記一端から所定長さの範囲において、上記幅狭部を挟んで位置する１対の棒状部を備えており、上記ストッパおよび上記凸部は、上記幅狭部の上記短手方向両側に設けられている、請求項１ないし３のいずれかに記載の清掃具。
【発明の詳細な説明】
【技術分野】
【０００１】
本発明は、たとえば床面などの掃除に使用される清掃具に関する。
【背景技術】
【０００２】
一般に、床面などの掃き掃除用の清掃具は、長手状の清掃ヘッドと、この清掃ヘッドに連結される柄とを備えており、柄の先端が清掃ヘッドに回動可能に連結されたものが知られている。箒として構成される清掃具の場合、清掃ヘッドは、多数本の掃毛が長手状に延びるヘッド本体に植設された構成とされている。上記構成の清掃具は、不使用時には、たとえば壁に立て掛けるなどして柄が上下方向に延びる状態で保管される。このとき、清掃ヘッドは、長手方向全長域が床面に沿う姿勢とされており、比較的に多くのスペースを占有してしまう。また、柄およびヘッド本体の重量が掃毛に作用するので、掃毛が変形する虞れがある。
【０００３】
これに対し、柄をヘッド本体に対して所望の角度でロック可能なロック機構を備えた構成が知られている（たとえば特許文献１を参照）。特許文献１に開示された清掃具においては、同文献の図１および図２によく表れているように、ヘッド本体（取付部１１）側には、外周部に複数の凸部（４）を有する板状連結部（１２）が設けられ、柄の一端には、上記凸部（４）と係合しうる凹部（５５）を有するピストン部（５１）が設けられている。ピストン部（５１）は、柄の長手方向に沿ってスライド可能とされており、ヘッド本体側に進出して凹部（５５）がいずれかの凸部（４）に係合するロック状態と、ヘッド本体から退避して凹部（５５）が凸部（４）に係合しないアンロック状態とをとることができる。かかる構成によれば、たとえば柄をヘッド本体（取付部１１ないしヘッドＣ）に沿う倒れ回動位置でロック（保持）することができ、たとえば清掃具の不使用時には、このロック状態をとったまま柄が上下方向に延びる状態で保管すれば、比較的占有スペースを小さくすることができる。
【０００４】
しかしながら、上記従来のロック機構を備えた清掃具においては、当該柄のロック機構に係る構造（ヘッド本体と柄との連結部の構造）が比較的に複雑であり、この連結部の大型化を招いていた。また、倒れ回動位置をとる柄について、ロック状態とアンロック状態との切り替え操作が煩わしかった。
【先行技術文献】
【特許文献】
【０００５】
【特許文献１】特開２００２−１７６４０号公報
【発明の概要】
【発明が解決しようとする課題】
【０００６】
本発明は、このような事情のもとで考え出されたものであって、長手状の清掃ヘッドに回動可能に連結された長手状の柄を備える清掃具において、構造の簡素化を図りつつ、ヘッド本体に沿う倒れ回動位置をとる柄を保持することが可能な清掃具を提供することを課題とする。
【課題を解決するための手段】
【０００７】
上記の課題を解決するため、本発明では、次の技術的手段を講じている。
【０００８】
本発明によって提供される清掃具は、長手状に延びるヘッド本体に所定の払拭部材または掃毛を支持してなる清掃ヘッドと、上記清掃ヘッドに連結された長手状の柄と、を備える清掃具であって、上記柄は、その一端において上記ヘッド本体に対してその短手方向に延びる回動軸を中心として回動可能であり、上記ヘッド本体は、上記柄を上記ヘッド本体に沿う倒れ回動位置において係止して保持する柄保持手段を備え、上記柄保持手段は、上記柄が上記倒れ回動位置をとるときに上記柄の倒れ方向の回動を規制するストッパと、上記柄が上記倒れ回動位置をとるまで回動する直前に弾性的に乗り越える凸部とにより構成されており、上記ヘッド本体は、上記回動軸の延びる方向についての幅が相対的に狭い幅狭部と、上記幅が相対的に広い幅広部とを備えており、上記柄は上記幅狭部において回動可能に連結されているとともに、上記幅狭部と上記幅広部との境界の段部が上記ストッパを構成しており、かつ、上記凸部は上記幅狭部の側面に形成されていることを特徴としている。
【０００９】
このような構成の清掃具によれば、ヘッド本体は、それ自体が柄をヘッド本体に沿う倒れ回動位置で係止して保持する柄保持手段を備えることから、柄を倒れ回動位置で保持するための構造を比較的簡単にすることができる。
【００１０】
上記構成によれば、倒れ回動位置をとる柄は、ストッパにより倒れ方向への回動が規制され、かつ凸部により倒れ方向とは反対側の戻り方向への回動が規制される。したがって、比較的簡単な構造および操作をもって、倒れ回動位置をとる柄がヘッド本体により適切に保持される。
【００１２】
好ましい実施の形態においては、上記幅狭部および上記幅広部は、上記ヘッド本体の長手方向全長にわたって設けられている。
【００１３】
好ましい実施の形態においては、上記柄は、上記幅狭部の長手方向中央部付近において回動可能に連結されており、上記凸部は、上記幅狭部の長手方向両端部付近に設けられている。このような構成によれば、柄を、ヘッド本体の長手方向両側のいずれの方向に倒してもヘッド本体に沿うように保持させることができるので、使い勝手がよい。
【００１４】
好ましい実施の形態においては、上記柄は、少なくとも上記一端から所定長さの範囲において、上記幅狭部を挟んで位置する１対の棒状部を備えており、上記ストッパおよび上記凸部は、上記幅狭部の上記短手方向両側に設けられている。このような構成によれば、倒れ回動位置をとる柄を、より適確に保持することができる。
【００１５】
本発明のその他の特徴および利点は、添付図面を参照して以下に行う詳細な説明によって、より明らかとなろう。
【図面の簡単な説明】
【００１６】
【図１】本発明に係る清掃具の一例を示す正面図である。
【図２】図１のＩＩ−ＩＩ線に沿う断面図である。
【図３】図１のＩＩＩ−ＩＩＩ線に沿う断面図である。
【図４】柄が倒れ回動位置をとるときの、図１のＩＶ−ＩＶ線に沿う部分拡大断面図である。
【図５】図１に示した清掃具の一部を分解した状態を示す部分拡大正面図である。
【図６】図１に示した清掃具の一部を分解した状態を示す図２と同様の図である。
【図７】図１に示した清掃具の保管状態を示す正面図である。
【図８】図１に示した清掃具を、この清掃具を保管するための支持体に支持させた場合の一例を示す斜視図である。
【図９】図８に示した清掃具および支持体の正面図である。
【図１０】図８に示した支持体の斜視図である。
【図１１】図１０のＸＩ−ＸＩ線に沿う断面図である。
【図１２】図８のＸＩＩ−ＸＩＩ線に沿う部分拡大断面図である。
【図１３】本発明に係る清掃具の他の例を示す図４と同様の図である。
【図１４】本発明に係る清掃具の他の例を示す図４と同様の図である。
【発明を実施するための形態】
【００１７】
以下、本発明の好ましい実施の形態について、図面を参照して具体的に説明する。
【００１８】
図１〜図６は、本発明に係る清掃具の一例を示している。図１〜図３に表れているように、本実施形態の清掃具１は、清掃ヘッド１０と、この清掃ヘッド１０に連結された長手状の柄１１とを備え、箒として構成されたものである。
【００１９】
清掃ヘッド１０は、一定方向に延びる長手状のヘッド本体１００と、このヘッド本体１００に支持される多数本の掃毛１０１と、柄１１を連結するためのキャップ１０２とを備えている。
【００２０】
ヘッド本体１００は、たとえばＡＢＳ樹脂などの合成樹脂により一体形成されたものであり、幅狭部１００Ａと、この幅狭部１００Ａにつながる幅広部１００Ｂとを具備する柱状とされている。幅狭部１００Ａは、短手方向の幅が相対的に狭くされており、幅広部１００Ｂは、短手方向の幅が相対的に広くされている。幅狭部１００Ａおよび幅広部１００Ｂは、長手方向全長にわたって設けられている。
【００２１】
幅狭部１００Ａと幅広部１００Ｂとの境界には、短手方向の両側において傾斜状の段部１００ｃが形成されている。段部１００ｃは、柄１１の倒れ方向の回動を規制するためのものであり、本発明でいうストッパを構成している。なお、段部１００ｃは、本実施形態では傾斜状とされているが、これに代えて、幅狭部１００Ａおよび幅広部１００Ｂの側面に対して略垂直としてもよい。
【００２２】
ヘッド本体１００の長手方向中央部には、キャップ取付部１００ｄが設けられている。図５および図６に表れているように、キャップ取付部１００ｄは、ヘッド本体１００の短手方向の両側に突出する係止突起１００ｅと、上記短手方向に沿って形成された断面半円形の凹部１００ｆとを有する。
【００２３】
図３によく表れているように、幅狭部１００Ａの長手方向両端部付近には、幅狭部１００Ａの短手方向の両側面において凸部１００ｇが形成されている。詳細は後述するが、これら凸部１００ｇおよび上記した段部１００ｃは、柄１１を係止して保持するためのものであり、本発明でいう柄保持手段を構成している。また、幅狭部１００Ａの長手方向両端部の端面には、突起１００ｈが形成されている。突起１００ｈの意義については後述する。
【００２４】
掃毛１０１は、たとえばナイロンなどの合成樹脂製の繊維からなり、所定本ずつ束ねた状態で幅広部１００Ｂの下面に植設されている。
【００２５】
キャップ１０２は、キャップ取付部１００ｄに取り付けられることにより、キャップ取付部１００ｄと協働して柄１１を回動可能に支持するものである。図５および図６に表れているように、キャップ１０２は、キャップ取付部１００ｄの係止突起１００ｅに係止させられる複数の係止爪１０２ａと、断面半円形の凹部１０２ｂとを有し、たとえば弾性変形可能な合成樹脂製である。キャップ１０２は、後述する柄１１の連結軸部１１１ａをキャップ取付部１００ｄの凹部１００ｆに嵌めた状態でキャップ取付部１００ｄに押し込むことにより、係止爪１０２ａが係止突起１００ｅに係合し、キャップ取付部１００ｄに固定される。
【００２６】
図１〜図３に表れているように、柄１１は、基端側を占める把持部１１０と、中間ないし先端側を占める柄本体部１１１とを備えて構成されている。把持部１１０は、たとえばＡＢＳ樹脂などの合成樹脂からなる。柄本体部１１１は、たとえばステンレスなどの金属材料からなる丸棒を折り曲げて形成されたものであり、先端に位置する連結軸部１１１ａと、この連結軸部１１１ａの両端から長手方向に延びる一対の棒状部１１１ｂとを有する。これら棒状部１１１ｂは、先端から所定長さの範囲において所定の間隔を隔てられており、ヘッド本体１００の幅狭部１００Ａを挟んで位置する。一方、一対の棒状部１１１ｂの基端寄りの部分は、基端に向かうにつれて近接させられている。柄本体部１１１の基端は、たとえばインサート成形によって把持部１１０に一体に埋設されている。
【００２７】
図２から理解されるように、連結軸部１１１ａは、キャップ１０２がヘッド本体１００に取り付けられた状態において、断面半円形の凹部１０２ｂ，１００ｆにより回転自在に支持される。これにより、柄１１は、ヘッド本体１００に対して、その短手方向に延びる回動軸Ｏ１を中心として回動可能に連結されている。
【００２８】
図２または図４に表れているように、一対の棒状部１１１ｂにおいて、柄１１が回動したときにヘッド本体１００の長手方向両端部付近に対応する部分の自然状態における間隔Ｌ１は、幅狭部１００Ａの短手方向両側面に設けられた凸部１００ｇの先端どうしの間隔Ｌ２よりも少し小さくなっている。これにより、柄１１を倒れ方向に回動させると、一対の棒状部１１１ｂは、弾性変形を伴いながら凸部１００ｇを乗り越え、図４に示すように、倒れ回動位置をとる。このとき、柄１１は、ヘッド本体１００に沿っており、段部１００ｃ（ストッパ）により係止されて倒れ方向への回動が規制されるとともに、凸部１００ｇにより係止されて倒れ方向とは反対側の戻り方向への回動が規制される。なお、図１および図３においては、柄１１が倒れ回動位置をとる状態を仮想線で表している。
【００２９】
次に、上記した清掃具１の作用について説明する。
【００３０】
本実施形態の清掃具１において、ヘッド本体１００は、それ自体が柄１１をヘッド本体１００に沿う倒れ回動位置で係止して保持する柄保持手段（段部１００ｃおよび凸部１００ｇ）を備えている。このため、本実施形態と異なり、たとえばヘッド本体と柄との連結部にロック機構を設ける場合に比べて、柄１１を倒れ回動位置で保持するための構造を比較的簡単にすることができる。
【００３１】
図７に示すように、たとえば、柄１１が倒れ回動位置をとる清掃具１を壁に吊るすなどして保管すれば、柄１１が上下方向に延びる状態であり、かつヘッド本体１００が柄１１に沿うことから、清掃具１の保管に係る占有スペースを小さくすることができる。
【００３２】
柄１１は、倒れ方向へ回動させられると、倒れ回動位置をとる直前に凸部１００ｇを弾性的に乗り越える。そして、図４を参照して上述したように、倒れ回動位置をとる柄１１は、段部１００ｃ（ストッパ）により倒れ方向への回動が規制され、凸部１００ｇにより戻り方向への回動が規制される。かかる構成によれば、比較的簡単な構造および操作をもって、倒れ回動位置をとる柄１１がヘッド本体１００により適切に保持される。
【００３３】
柄１１は、ヘッド本体１００の幅狭部１００Ａの長手方向中央部付近において、ヘッド本体１００の短手方向に延びる回動軸Ｏ１を中心として回動可能に連結されている。そして、凸部１００ｇは、幅狭部１００Ａの長手方向両端部付近に設けられている。これにより、柄１００は、ヘッド本体１００の長手方向両側のいずれの方向に倒してもヘッド本体１００に沿うように保持させられるので、使い勝手がよい。
【００３４】
また、柄１１は、倒れ回動位置をとるとき、幅狭部１００Ａおよび幅広部１００Ｂの境界の段部１００ｃと、幅狭部１００Ａの側面に形成された凸部１００ｇとにより、いずれの方向への回動も規制されている。このとき、図１に表れているように、柄１１は、正面視においてヘッド本体１００に重なる位置にある。したがって、柄１１が倒れ回動位置をとるときに、清掃ヘッド１０ないし柄１１の高さ方向（図１における上下方向）の寸法を小さくすることができる。このことは、図７に表された清掃具１の横方向の寸法を小さくするうえで好適であり、保管時等における清掃具１の占有スペースの狭小化に資する。
【００３５】
さらに、柄１１は、幅狭部１００Ａを挟んで位置する一対の棒状部１１１ｂを備えており、段部１００ｃおよび凸部１００ｇは、幅狭部１００Ａの短手方向両側に設けられている。このような構成によれば、倒れ回動位置をとる柄１１を、より適確に保持することができる。
【００３６】
次に、上記構成の清掃具１を、この清掃具１を保管するための支持体に支持させる場合の一例について、図８および図９を参照して説明する。
【００３７】
図８は、清掃具１を支持体２に支持させた状態を示す斜視図であり、図９は、図８に表された清掃具１および支持体２の正面図である。図１０は、図８に示す支持体２の斜視図である。図１１は、図１０のＸＩ−ＸＩ線に沿う断面図である。
【００３８】
支持体２は、図１０および図１１に表れているように、底板２０と、３つの側板２１，２２，２３とを備え、各部の厚みが略一定となるようにして、たとえばＡＢＳ樹脂などの合成樹脂により一体形成されたものである。
【００３９】
底板２０は、図９および図１０から理解されるように、概略長矩形の外形を有している。また、図８および図１０に表れているように、底板２０は、外側に凸の湾曲状とされている。
【００４０】
側板２１，２２は、底板２０の長手方向の両端縁からそれぞれ立ち上がっており、互いに対向している。底板２０の長手寸法は、ヘッド本体１００の長手寸法に対応させられている。本実施形態では、側板２１，２２の間隔Ｌ３は、清掃具１のヘッド本体１００の長手寸法Ｌ４より大とされている（図９参照）。これにより、ヘッド本体１００は、その長手軸が底板２０の長手方向に沿う状態で側板２１，２２の間に位置することが可能となっている。
【００４１】
側板２１，２２には、溝部２１ａ，２２ａが設けられている。溝部２１ａは、底板２０と反対側の縁に開放部２１ｂを有し、底板２０に向けて緩やかな曲線状となるように形成されている。これと同様に、溝部２２ａも底板２０と反対側の縁に開放部２２ｂを有し、底板２０に向けて曲線状に形成されている。これら溝部２１ａ，２２ａは、ほぼ一定の幅とされているとともに、互いに対向する位置に設けられている。
【００４２】
溝部２１ａ，２２ａの幅Ｌ５は、柄１１の棒状部１１１ｂの直径Ｄ１よりも大とされている（図２および図１１参照）。これにより、棒状部１１１ｂ（柄１１）は、開放部２１ｂ，２２ｂを通じて溝部２１ａ，２２ａに進入することができる。また、溝部２１ａ，２２ａの幅Ｌ５は、清掃具１のヘッド本体１００に設けられた突起１００ｈの長さＬ６よりも大とされている（図１参照）。これにより、各突起１００ｈは、溝部２２ａ（２１ａ）に進入可能となっている（図１２参照）。
【００４３】
側板２３は、底板２０の短手方向における一方の縁から延びており、外側に凸の湾曲状とされている。この側板２３において、底板２０の長手方向の両端縁が側板２１，２２につながっている。
【００４４】
上記構成の支持体２は、底板２０の４つの縁のうち、側板２１，２２，２３が設けられていない縁２０ａをゴミ等の掃き入れ縁とする、ちり取りとして使用可能に構成されたものである。
【００４５】
上記構成の清掃具１および支持体２によれば、たとえば清掃具１の不使用時には、図８および図９に示すように、支持体２を、側板２１が上位となるように床面に立てて置き、清掃具１の柄１１を、ヘッド本体１００に沿う倒れ回動位置をとらせたまま上下に沿う姿勢で側板２１の溝部２１ａに進入させる。これにより、清掃具１は、ヘッド本体１００（清掃ヘッド１０）が側板２１，２２間に位置して支持体２に収容された状態で、支持体２に支持される。このとき、支持体２に収容された清掃ヘッド１０については、ヘッド本体１００の長手軸が上下に沿っており、横方向の寸法が比較的に小である。これに伴い、当該清掃ヘッド１０を収容する支持体２についても横方向の寸法を小さくすることができる。したがって、保管時等において清掃具１および支持体２の占有スペースを小さくすることができる。
【００４６】
支持体２の側板２１に設けられた溝部２１ａは、底板２０と反対側の縁に開放部２１ｂを有している。これにより、清掃具１の不使用時には、倒れ回動位置をとる柄１１を掴み、当該柄１１を、開放部２１ｂを通じて溝部２１ａに進入させ、底板２０に近づけるという簡単な操作により、清掃ヘッド１０が支持体２の側板２１，２２の間に収容されて、清掃具１を支持体２に支持させることができる。また、清掃具１を使用する際には、清掃具１の柄１１を掴み、当該柄１１を、底板２０から遠ざけて開放部２１ｂを通過するように引き出すという簡単な操作により、清掃具１を支持体２から分離することができる。このように、上記構成の清掃具１および支持体２によれば、支持体２において可動部等を必要としないので、清掃具１の支持構造の簡素化が図られており、支持体２に対する清掃具１の支持・分離操作は、清掃具１の柄１１だけを掴むことにより行うことができる。
【００４７】
ヘッド本体１００は、柄１１を倒れ回動位置において係止して保持する柄保持手段（段部１００ｃおよび凸部１００ｇ）を備えるため、柄１１は倒れ回動位置を適切にとり続けることができ、支持体２に対する清掃具１の支持・分離操作を安定して行うことができる。また、清掃具１が支持体２に支持された状態において、柄１１と清掃ヘッド１０とが不用意に相対回動することは防止される。
【００４８】
さらに、清掃具１におけるヘッド本体１００の長手方向両端部には、溝部２２ａ（２１ａ）に進入可能な突起１００ｈが設けられている（図１２参照）。これにより、柄１１が倒れ回動位置をとるとき、柄１１の基端に対して遠くに位置する、ヘッド本体１００の長手方向端部を、溝部２２ａ（２１ａ）に沿ってスライドさせることができ、支持体２に対する清掃具１の支持・分離操作をスムーズに行うことができる。また、溝部２２ａ（２１ａ）に突起１００ｈが嵌まる構成によれば、清掃具１が支持体２に支持される際の位置決めを図ることができる。
【００４９】
以上、本発明の具体的な実施形態を説明したが、本発明はこれに限定されるものではなく、発明の思想から逸脱しない範囲内で種々な変更が可能である。本発明に係る清掃具の各部の具体的な形状や材質なども、上記実施形態に限定されるものではない。
【００５０】
上記実施形態においては、柄保持手段を担う段部１００ｃおよび凸部１００ｇは、ヘッド本体１００の短手方向両側に設けられていたが、これに限定されない。たとえば図１３を参照すると理解されるように、段部１００ｃおよび凸部１００ｇをヘッド本体１００の短手方向の一方側にのみ設けた構成としてもよい。
【００５１】
上記実施形態において、柄１１は、清掃ヘッド１０の幅狭部１００Ａを挟んで位置する一対の棒状部１１１ｂを具備する構成とされていたが、これに限定されない。柄としては、たとえば図１４を参照すると理解されるように、単一の棒状部１１１ｂ’を具備する構成としてもよい。
【００５３】
上記実施形態では、柄１１は、ヘッド本体１００の長手方向中央部付近において回動可能に連結されていたが、これに代えて、ヘッド本体１００の長手方向の端部付近において回動可能に連結される構成としてもよい。
【００５４】
上記実施形態では、箒として構成された清掃具１を例に挙げて説明したが、清掃具としては、たとえば布製の払拭部材を具備してなる、箒以外の構成としてもよい。
【符号の説明】
【００５５】
Ｏ１        回動軸
１          清掃具
１０        清掃ヘッド
１００      ヘッド本体
１００Ａ    幅狭部
１００Ｂ    幅広部
１００ｃ    段部（ストッパ）
１００ｇ    凸部
１００ｈ    突起
１０１      掃毛
２          支持体
２０        底板
２１        側板
２１ａ      溝部
２１ｂ      開放部
２２        側板
２２ａ      溝部
２２ｂ      開放部
２３        側板
【図１】
0005632639.tif 000002
【図２】
0005632639.tif 000003
【図３】
0005632639.tif 000004
【図４】
0005632639.tif 000005
【図５】
0005632639.tif 000006
【図６】
0005632639.tif 000007
【図７】
0005632639.tif 000008
【図８】
0005632639.tif 000009
【図９】
0005632639.tif 000010
【図１０】
0005632639.tif 000011
【図１１】
0005632639.tif 000012
【図１２】
0005632639.tif 000013
【図１３】
0005632639.tif 000014
【図１４】
0005632639.tif 000015